(57)【要約】【課題】非接触で塗布量を高精度でインライン計測することが可能な塗布装置を提供する。【解決手段】被塗物に流動性材料を塗布する塗布ロールと、塗布ロールの外周面の周囲に軸方向に並べて配置され、外周面上の流動性材料までの距離を検出する第一センサ及び第二センサと、第一センサ及び第二センサの検出結果に基づいて、被塗物に塗布された流動性材料の塗布量を計算する計算手段と、を備え、塗布ロールの外周面の幅が被塗物の幅よりも広く、塗布ロールの外周面が、その上に形成される流動性材料の膜が被塗物の表面に転写される転写領域と、転写されない非転写領域とに区分され、第一センサが、転写領域における、流動性材料の膜が転写された後の部分と対向して配置され、該部分の上に残留した流動性材料までの距離を検出し、第二センサが、非転写領域と対向して配置され、非転写領域上の流動性材料までの距離を検出する、塗布装置。【選択図】  図４
2019000773.tif 000002
【特許請求の範囲】
【請求項１】
その外周面上に形成される流動性材料の膜を被塗物の表面に転写することにより、前記被塗物に前記流動性材料を塗布する塗布ロールと、
前記塗布ロールの外周面の周囲に軸方向に並べて配置され、前記外周面上の流動性材料までの距離を検出する第一センサ及び第二センサと、
前記第一センサ及び前記第二センサの検出結果に基づいて、前記被塗物に塗布された前記流動性材料の塗布量を計算する計算手段と、
を備え、
前記塗布ロールの前記外周面の幅が前記被塗物の幅よりも広く、
前記塗布ロールの外周面が、その上に形成される前記流動性材料の膜が前記被塗物の表面に転写される転写領域と、転写されない非転写領域とに区分され、
前記第一センサが、前記転写領域における、前記流動性材料の膜が転写された後の部分と対向して配置され、該部分の上に残留した前記流動性材料までの距離を検出し、
前記第二センサが、前記非転写領域と対向して配置され、該非転写領域上に形成された前記流動性材料の膜までの距離を検出する、
塗布装置。
【請求項２】
前記第一センサ及び前記第二センサが、前記塗布ロールの外周面から等距離に配置され、
前記計算手段が、前記第一センサによる測定値と前記第二センサによる測定値の差に基づいて前記塗布量を計算する、
請求項１に記載の塗布装置。
【請求項３】
その外周面上に形成される流動性材料の膜を被塗物の表面に転写することにより、前記被塗物に前記流動性材料を塗布する塗布ロールと、
前記塗布ロールの外周面の周囲に軸方向に並べて配置され、前記外周面上の前記流動性材料の膜厚を検出する第一センサ及び第二センサと、
前記第一センサ及び前記第二センサの検出結果に基づいて、前記被塗物に塗布された前記流動性材料の塗布量を計算する計算手段と、
を備え、
前記塗布ロールの前記外周面の幅が前記被塗物の幅よりも広く、
前記塗布ロールの外周面が、その上に形成される前記流動性材料の膜が前記被塗物の表面に転写される転写領域と、転写されない非転写領域とに区分され、
前記第一センサが、前記転写領域における、前記流動性材料の膜が転写された後の部分と対向して配置され、該部分の上に残留した前記流動性材料の膜厚を検出し、
前記第二センサが、前記非転写領域と対向して配置され、該非転写領域上に形成された前記流動性材料の膜厚を検出する、
塗布装置。
【請求項４】
前記塗布ロールの外周面に前記流動性材料を供給する供給手段を備えた、
請求項１から請求項３のいずれか一項に記載の塗布装置。
【請求項５】
前記第一センサ及び前記第二センサが、前記塗布ロールの外周面上の回転方向における、前記被塗物に前記流動性材料が転写される転写位置から前記供給手段によって流動性材料が供給される供給位置までの領域内に対向して配置される、
請求項４に記載の塗布装置。
【請求項６】
前記被塗物への塗布量を調整する塗布量調整手段を更に備え、
前記塗布量調整手段は、前記塗布量の計算値と目標値との差に基づいて塗布量を調整する、
請求項１から請求項５のいずれか一項に記載の塗布装置。
【請求項７】
前記塗布量の計算値と目標値との差が閾値以上の場合に運転を停止する、
請求項１から請求項６のいずれか一項に記載の塗布装置。
【請求項８】
警報を出力する警報手段を更に備え、
前記警報手段は、前記塗布量の計算値と目標値との差が閾値以上の場合に警報を出力する、
請求項１から請求項７のいずれか一項に記載の塗布装置。
【請求項９】
２つの前記第二センサが、前記塗布ロールの軸方向において２カ所に配置され、
前記計算手段は、各前記第二センサによる検出結果のそれぞれに対して前記塗布量を計算する、
請求項１から請求項８のいずれか一項に記載の塗布装置。
【請求項１０】
前記第一センサが前記塗布ロールの軸方向において間隔を空けて複数配置され、
前記計算手段は、各前記第二センサによる測定値に対して前記塗布量を計算する、
請求項１から請求項９のいずれか一項に記載の塗布装置。
【請求項１１】
前記塗布量調整手段は、
前記塗布ロールと平行に配置され、該塗布ロールの外周面上の、回転方向における前記供給位置から前記転写位置までの領域と対向するドクターロールと、
前記塗布ロールと前記ドクターロールとの軸間距離を調整するロール距離調整手段と、
を有し、
前記塗布量調整手段は、前記塗布量の計算値と目標値との差に基づいて前記ドクターロールと前記塗布ロールとの軸間距離を調整することで前記塗布量を調整する、
請求項５を引用する、請求項６から請求項１０のいずれか一項に記載の塗布装置。
【請求項１２】
２つの前記ロール距離調整手段が、前記塗布ロールの軸方向における両端部に配置され、
前記塗布量調整手段は、算出された複数の前記塗布量の計算値の差に基づいて、前記両端部のそれぞれにおける前記ドクターロールと前記塗布ロールとの軸間距離を独立して調整する、
請求項９又は請求項１０を引用する、請求項１１に記載の塗布装置。
【発明の詳細な説明】
【技術分野】
【０００１】
本発明は、塗布装置に関する。
【背景技術】
【０００２】
板状又はシート状の被塗物（単板、鋼帯、フィルム等）に糊等の接着剤や塗料といった流動性材料（以下「塗料等」という。）を塗布する方式の一つとして、塗料等を回転する塗布ロールの外周面に供給し、塗布ロールの外周面に形成された塗料等の膜を被塗物に転写するロールコーティングが知られている。ロールコーティングにおいては、経時変化や温度変化等によって塗料等の粘度等の物性が変化するため、塗布装置の設定を変更していないにも拘わらず被塗物に塗布される塗料等の量（塗布量）が変化することがある。そのため、塗布量を測定するための様々な方法が考案されている。
【０００３】
測定対象物からの光等の反射を利用した反射型の膜厚計や距離計が知られている。しかしながら、これらの反射型の測定方式は、測定対象物の振動により測定精度が低下するため、被塗物上や塗布ロール上における塗料等の膜厚の高精度なインライン計測は困難である。そこで、特許文献１に記載された塗布装置は、振動により測定精度が低下する反射型の測定方式を回避するため、塗布ロールの幅を被塗物の幅より大きくすることにより、塗布に関与しない（被塗物と接触しないため、塗料等の膜が被塗物に転写されない）ロールエッジ部を設け、ロールエッジ部のロール外周面と、塗布に利用される領域の塗布ロール外周面とに掻き落としブレードを設け、ロールエッジ部で掻き落とされる塗料等が所定の量になるまでの時間と、塗布に利用される領域で掻き落とされる塗料等が所定の量になるまでの時間に基づいて塗布量を算出している。
【先行技術文献】
【特許文献】
【０００４】
【特許文献１】特開昭６３−１９０６８０号公報
【発明の概要】
【発明が解決しようとする課題】
【０００５】
しかしながら、特許文献１に記載された塗布量計測方法は、掻き落としブレードと塗布ロールが接触するため、塗布ロール上のブレードが接触する部分が摩耗し、塗布量のばらつきや塗布不良といった塗布品質低下の原因となり得る。
【０００６】
本発明は上記の事情に鑑みてなされたものであり、その目的とするところは、非接触で塗布量を高精度でインライン計測することが可能な塗布装置を提供することである。
【課題を解決するための手段】
【０００７】
本発明の一実施形態に係る塗布装置は、その外周面上に形成される流動性材料の膜を被塗物の表面に転写することにより、被塗物に流動性材料を塗布する塗布ロールと、塗布ロールの外周面の周囲に軸方向に並べて配置され、外周面上の流動性材料までの距離を検出する第一センサ及び第二センサと、第一センサ及び第二センサの検出結果に基づいて、被塗物に塗布された流動性材料の塗布量を計算する計算手段と、を備え、塗布ロールの外周面の幅が被塗物の幅よりも広く、塗布ロールの外周面が、その上に形成される流動性材料の膜が被塗物の表面に転写される転写領域と、転写されない非転写領域とに区分され、第一センサが、転写領域における、流動性材料の膜が転写された後の部分と対向して配置され、該部分の上に残留した流動性材料までの距離を検出し、第二センサが、非転写領域と対向して配置され、非転写領域上に形成された流動性材料の膜までの距離を検出する。
【０００８】
また、本発明の一実施形態において、第一センサ及び第二センサが、塗布ロールの外周面から等距離に配置され、計算手段が、第一センサによる測定値と第二センサによる測定値の差に基づいて塗布量を計算する。
【０００９】
また、本発明の一実施形態に係る塗布装置は、その外周面上に形成される流動性材料の膜を被塗物の表面に転写することにより、被塗物に流動性材料を塗布する塗布ロールと、塗布ロールの外周面の周囲に軸方向に並べて配置され、外周面上の流動性材料の膜厚を検出する第一センサ及び第二センサと、第一センサ及び第二センサの検出結果に基づいて、被塗物に塗布された流動性材料の塗布量を計算する計算手段と、を備え、塗布ロールの外周面の幅が被塗物の幅よりも広く、塗布ロールの外周面が、その上に形成される流動性材料の膜が被塗物の表面に転写される転写領域と、転写されない非転写領域とに区分され、第一センサが、転写領域における、流動性材料の膜が転写された後の部分と対向して配置され、該部分の上に残留した流動性材料の膜厚を検出し、第二センサが、非転写領域と対向して配置され、非転写領域上に形成された流動性材料の膜厚を検出する。
【００１０】
また、本発明の一実施形態において、塗布装置は、塗布ロールの外周面に流動性材料を供給する供給手段を備える。
【００１１】
また、本発明の一実施形態において、第一センサ及び第二センサが、塗布ロールの外周面上の回転方向における、被塗物に流動性材料が転写される転写位置から供給手段によって流動性材料が供給される供給位置までの領域内に対向して配置される。
【００１２】
また、本発明の一実施形態において、塗布装置は、被塗物への塗布量を調整する塗布量調整手段を更に備え、塗布量調整手段は、塗布量の計算値と目標値との差に基づいて塗布量を調整する。
【００１３】
また、本発明の一実施形態において、塗布装置は、塗布量の計算値と目標値との差が閾値以上の場合に運転を停止する。
【００１４】
また、本発明の一実施形態において、塗布装置は、警報を出力する警報手段を更に備え、警報手段は、塗布量の計算値と目標値との差が閾値以上の場合に警報を出力する。
【００１５】
また、本発明の一実施形態において、２つの第二センサが、塗布ロールの軸方向において２カ所に配置され、計算手段は、各第二センサによる検出結果のそれぞれに対して塗布量を計算する。
【００１６】
また、本発明の一実施形態において、第一センサが塗布ロールの軸方向において間隔を空けて複数配置され、計算手段は、各第二センサによる測定値に対して塗布量を計算する。
【００１７】
また、本発明の一実施形態において、塗布量調整手段は、塗布ロールと平行に配置され、塗布ロールの外周面上の、回転方向における供給位置から転写位置までの領域内と対向するドクターロールと、塗布ロールとドクターロールとの軸間距離を調整するロール距離調整手段と、を有し、塗布量調整手段は、塗布量の計算値と目標値との差に基づいてロール距離調整手段を制御してドクターロールと塗布ロールとの軸間距離を調整することで塗布量を調整する。
【００１８】
また、本発明の一実施形態において、２つのロール距離調整手段が、塗布ロールの軸方向における両端部に配置され、塗布量調整手段は、算出された複数の塗布量の計算値の差に基づいて各ロール距離調整手段をそれぞれ制御する。
【発明の効果】
【００１９】
本発明の一実施形態によれば、非接触で塗布量を高精度でインライン計測することが可能な塗布装置が提供される。
【図面の簡単な説明】
【００２０】
【図１】本発明の実施形態に係る塗布装置の主要部の概略を示す斜視図である。
【図２】本発明の実施形態に係る塗布装置におけるロールユニットの概略を示す上面図である。
【図３】本発明の実施形態に係る塗布装置の主要部の概略を示す側面図である。
【図４】本発明の実施形態に係る塗布装置におけるセンサの配置を示す図である。
【図５】本発明の実施形態に係る塗布装置の制御システムのブロック図である。
【図６】本発明の実施形態に係る塗布装置における、糊の粘度と塗布量の関係を示すグラフである。
【図７】塗布ロールの外周面付近を拡大した拡大断面図である。
【図８】本発明の実施形態に係る塗布装置の制御のフローチャートである。
【図９】本発明の実施形態に係る塗布装置におけるロールユニットの変形例の概略を示す上面図である。
【図１０】本発明の実施形態に係る塗布装置の制御のフローチャートである。
【発明を実施するための形態】
【００２１】
以下、図面を参照しながら、本発明の実施形態について説明する。
【００２２】
［第１実施形態］
図１は、塗布装置１の主要部の概略構成を示す図である。図２は、塗布装置１におけるロールユニット１０の概略構成を示す上面図である。図３は、塗布装置１の主要部の概略構成を示す側面図である。図４は、塗布装置１の、塗布量計測に用いるセンサ（１４１ａ、１４１ｂ、１４２ａ、１４２ｂ）の塗布ロールの軸方向における配置を示す概略図である。図５は、塗布装置１の制御システムのブロック図である。本実施形態の塗布装置１は、合板の製造に用いられる単板Ｐの両面に糊を塗布するものである。
【００２３】
以下の説明において、図３における左右方向をＸ軸方向、紙面に垂直な方向をＹ軸方向、上下方向をＺ軸方向とする。なお、Ｚ軸方向は鉛直方向であり、Ｘ，Ｙ軸方向は水平方向である。また、以下の説明において、図３における手前側を左、奥側を右とする。
【００２４】
塗布装置１は、単板Ｐに糊を塗布するロールユニット１０と、ロールユニット１０に糊を供給する糊供給ユニット１１と、単板Ｐを搬送する搬送ユニット１２（図５）と、塗布ロール上の糊の量を計測するためのセンサユニット１３（図５）と、塗布装置１の動作状態に異常が生じたときに警報を出力する警報出力部１５（図５）と、塗布装置１の各ユニット及び警報出力部１５を制御する制御部１４（図５）を備えている。
【００２５】
図１−３に示されるように、ロールユニット１０は、Ｙ軸方向に回転軸を向けて、上下に並べて配置された一対の塗布ロール１０１ａ、１０１ｂと、塗布ロール１０１ａ、１０１ｂのそれぞれに対してＸ軸方向に並ぶように配置されたドクターロール１０２ａ、１０２ｂと、各ロールを支持するロール支持部１０３と、塗布ロール１０１ａとドクターロール１０２ａとの軸間距離及び塗布ロール１０１ｂとドクターロール１０２ｂとの軸間距離を調整するためのロール距離調整ユニット１０４と、各ロールを回転駆動する４つの駆動部１０５を備えている。
【００２６】
塗布ロール１０１ａ、１０１ｂは鉄製のロールをゴムで覆ったものであり、ドクターロール１０２ａ、１０２ｂは鉄製のロールである。塗布ロール１０１ａ、１０１ｂは、その外周面に保持した糊を単板Ｐに塗布する部材である。また、ドクターロール１０２ａ、１０２ｂは、塗布ロール１０１ａ、１０１ｂに付着した糊を均して、均一な膜を形成する部材である。ロールユニット１０は、塗布に利用可能な幅、すなわち塗布ロール１０１ａ、１０１ｂとドクターロール１０２ａ、１０２ｂとがＹ軸方向において対向する長さが、単板Ｐの幅（Ｙ軸方向寸法）より長く設定されている。
【００２７】
ロール支持部１０３は、ドクターロール１０２ａ、１０２ｂをＸ軸方向に移動させて塗布ロール１０１ａ、１０１ｂとドクターロール１０２ａ、１０２ｂとの軸間距離を変更できるように、各ロールを支持している。
【００２８】
ロール距離調整ユニット１０４は、ドクターロール１０２ａの左端部のＸ軸方向位置を調整するためのロール距離調整機構１０４Ｌａと、ドクターロール１０２ａの右端部のＸ軸方向位置を調整するためのロール距離調整機構１０４Ｒａと、ドクターロール１０２ｂの左端部のＸ軸方向位置を調整するためのロール距離調整機構１０４Ｌｂと、ドクターロール１０２ｂの右端部のＸ軸方向位置を調整するためのロール距離調整機構１０４Ｒｂを含む。ロール距離調整ユニット１０４を用いて各ドクターロールのＸ軸方向位置を調整することで、塗布ロール１０１ａ、１０１ｂとドクターロール１０２ａ、１０２ｂとの軸間距離を調整することができる。
【００２９】
駆動部１０５は、例えばインバータモータであり、図３に示すように、塗布ロール１０１ａとドクターロール１０２ａの対向する面が下方に移動するように、塗布ロール１０１ａとドクターロール１０２ａを互いに逆回りに回転駆動し、塗布ロール１０１ｂとドクターロール１０２ｂの対向する面が上方に移動するように、塗布ロール１０１ｂとドクターロール１０２ｂを互いに反対方向に回転駆動する。
【００３０】
図１に示すように、糊供給ユニット１１は、サービスタンク１１０と、糊循環ポンプ１１１と、供給路１１２と、糊受け１１３を備えている。サービスタンク１１０は、ロールユニット１０に供給するための糊を貯留する容器である。サービスタンク１１０には、図示しない糊混合装置（又は作業者）によって糊が供給される。糊循環ポンプ１１１は、サービスタンク１１０内の糊を、供給路１１２を通して塗布ロール１０１ａとドクターロール１０２ａとの間に送り込む。糊受け１１３は、塗布ロール１０１ａとドクターロール１０２ａとの間の左右から流れ落ちる糊を受けて溜めるよう構成されている。糊受け１１３は、所定量だけ糊を溜め、所定量を超えた分の糊をサービスタンク１１０に流すよう構成されている。糊受け１１３に所定量糊が溜まった状態において、塗布ロール１０１ｂの下部が糊受け１１３に溜まった糊に浸かり、これにより塗布ロール１０１ｂに糊が供給される。
【００３１】
単板搬送ユニット１２は、Ｘ軸方向に単板Ｐを搬送して、塗布ロール１０１ａと塗布ロール１０１ｂとの間に単板Ｐを供給する。
【００３２】
以上の構成により、単板Ｐの両面への糊の塗布が可能になる。以下に単板Ｐに糊の塗布する際の塗布装置１の動作を説明する。サービスタンク１１０に糊を供給し、糊循環ポンプ１１１を駆動させると、サービスタンク１１０に供給された糊は供給路１１２を通して塗布ロール１０１ａとドクターロール１０２ａとの間に供給される。塗布ロール１０１ａとドクターロール１０２ａとの間に供給された糊は、塗布ロール１０１ａ及びドクターロール１０２ａの回転に伴って塗布ロール１０１ａとドクターロール１０２ａとの間を通過し、塗布ロール１０１ａの外周面に糊の膜が形成される。塗布ロール１０１ａに形成される糊の膜の膜厚は、糊の粘度や各ロールの回転速度が一定であれば、塗布ロール１０１ａとドクターロール１０２ａとの軸間距離で決まる。従って、塗布ロール１０１ａに形成される糊の膜の膜厚は、ロール距離調整機構１０４Ｌａ、１０４Ｒａにより調整することができる。
【００３３】
塗布ロール１０１ａとドクターロール１０２ａとの間に供給された糊のうち、塗布ロール１０１ａとドクターロール１０２ａとの間を通過せずに左右両端から流れ落ちた糊は、糊受け１１３に溜まる。塗布ロール１０１ｂの下部が浸る深さまで糊受け１１３に糊が溜まると、糊が回転する塗布ロール１０１ｂに付着して持ち上げられ、塗布ロール１０１ｂ及びドクターロール１０２ｂの回転に伴って塗布ロール１０１ｂとドクターロール１０２ｂとの間を通過し、塗布ロール１０１ｂに糊の膜が形成される。塗布ロール１０１ｂに形成される糊の膜の膜厚は、塗布ロール１０１ａに形成される糊の膜の膜厚と同様に、ロール距離調整機構１０４Ｌｂ、１０４Ｒｂにより調整することができる。なお、単板Ｐへの糊の塗布量は、塗布ロール１０１ａ、１０１ｂに形成される糊の膜厚の増減に伴って増減する。すなわち、ドクターロール１０２ａ、１０２ｂ、ロール距離調整ユニット１０４、及びロール距離調整ユニット１０４を制御する制御部１４は、協働して、塗布ロール１０１ａ、１０１ｂへの糊の供給量を調整する塗布量調整手段の役割を果たす。
【００３４】
塗布ロール１０１ａに形成された糊の膜及び塗布ロール１０１ｂに形成された糊の膜は、それぞれ、塗布ロール１０１ａと１０１ｂとの間を通過する単板Ｐの上面及び下面に転写される形で塗布される。塗布ロール１０１ａ、１０１ｂに形成された糊の膜は、一部が単板Ｐに塗布され、塗布ロール１０１ａ、１０１ｂに残留した糊は塗布ロール１０１ａ、１０１ｂの外周面に糊の薄い膜を形成する。従って、単板Ｐへの糊の塗布量は、塗布前の時点で塗布ロール１０１ａ、１０１ｂに形成された糊の膜と、塗布後に塗布ロール１０１ａ、１０１ｂに残留した糊によって形成された糊の膜との膜厚差から求めることができる。
【００３５】
図６は、塗布ロールとドクターロールとの軸間距離が一定の場合における、糊の粘度と塗布量の関係を示す。図６に示すように、塗布ロールとドクターロールとの軸間距離が一定の場合、塗布量は糊の粘度の上昇とともに増加する。塗布ロール１０１ａ、１０１ｂとドクターロール１０２ａ、１０２ｂとの軸間距離やその他の塗布装置の設定が一定であり、糊の粘度も一定であれば、単板Ｐへの糊の塗布量は変化しないが、糊の粘度は温度変化や経時変化（硬化の進行等）によって刻々と変化する。糊の粘度が変化すると、塗布ロール１０１ａ、１０１ｂとドクターロール１０２ａ、１０２ｂとの軸間距離を変更していなくても、図６に示すように、単板Ｐへの糊の塗布量が変化する。そのため、本実施形態の塗布装置１は、単板Ｐへの糊の塗布量を計測するためのセンサユニット１３を備える。
【００３６】
センサユニット１３は、塗布ロール１０１ａの外周面に対向して配置されたセンサ１３１ａ、１３２ａと、塗布ロール１０１ｂの外周面に対向して配置されたセンサ１３１ｂ、１３２ｂを含む。本実施形態の塗布装置１におけるセンサ１３１ａ、１３２ａ、１３１ｂ、１３２ｂは、被測定物とセンサとの距離を検出する距離センサである。
【００３７】
図３に示すように、センサ１３１ａは、塗布ロール１０１ａ上の、回転方向において塗布ロール１０１ｂと対向する位置、すなわち塗布ロール１０１ａに付着した糊が単板Ｐに転写される転写位置から、塗布ロール１０１ａとドクターロール１０２ａとの間の糊が溜まっている位置、すなわち塗布ロール１０１ａに糊を供給する供給位置までの領域Ｃａ内に配置されている。また、上述したように、ロールユニット１０は、塗布に利用可能な幅が単板Ｐの幅より長く設定されているため、図４に示すように、塗布ロール１０１ａの外周面には、軸方向において、単板Ｐと接触しないため塗布ロール１０１ａ上の糊の膜が単板Ｐに転写されない非転写領域Ａａ、Ａ’ａと、単板Ｐと接触して塗布ロール１０１ａ上の糊の膜が単板Ｐに転写される転写領域Ｂａが存在する。センサ１３１ａは、塗布ロール１０１ａの軸方向において、塗布ロール１０１ａの外周面の右端近傍の非転写領域Ａａに対向して配置されている。
【００３８】
センサ１３１ｂも、センサ１３１ａと同様に、塗布ロール１０１ｂの回転方向において塗布ロール１０１ａと対向する位置、すなわち塗布ロール１０１ｂに付着した糊が単板Ｐに転写される転写位置から、糊受け１１３に溜まった糊と接触する位置、すなわち塗布ロール１０１ａに糊を供給する供給位置までの領域Ｃｂ内に配置されている。また、塗布ロール１０１ａと同様に、塗布ロール１０１ｂの外周面には、軸方向において、単板Ｐと接触しないため塗布ロール１０１ｂ上の糊の膜が単板Ｐに転写されない非転写領域Ａｂ、Ａ’ｂと、単板Ｐと接触して塗布ロール１０１ｂ上の糊の膜が単板Ｐに転写される転写領域Ｂｂが存在する。センサ１３１ｂは、センサ１３１ａと同様に、塗布ロール１０１ｂの軸方向において、塗布ロール１０１ｂの右端近傍の非転写領域Ａｂに対向して配置されている。
【００３９】
図３に示すように、センサ１３１ａとセンサ１３２ａは、Ｙ軸方向に並んで配置されている。すなわち、図３に示すように、センサ１３１ａとセンサ１３２ａは、塗布ロール１０１ａの周りに同位相に配置されている。また、図４に示すように、センサ１３２ａは、塗布ロール１０１ａの軸方向において、転写領域Ｂａ内に配置されている。センサ１３１ａとセンサ１３２ａは、塗布ロール１０１ａから同じ距離離して配置されている。
【００４０】
センサ１３１ｂとセンサ１３２ｂも、センサ１３１ａとセンサ１３２ａの位置関係と同様に、Ｙ軸方向に並んで配置されている。すなわち、図３に示すように、センサ１３１ｂとセンサ１３２ｂは、塗布ロール１０１ｂの周りに同位相に配置されている。また、図４に示すように、センサ１３２ｂは、塗布ロール１０１ｂの軸方向において、転写領域Ｂｂ内に配置されている。センサ１３１ｂとセンサ１３２ｂは、塗布ロール１０１ｂから同じ距離離して配置されている。
【００４１】
センサ１３１ａ、１３２ａは、塗布ロール１０１ａの外周面（糊の膜が形成されている状態の場合は、糊の表面）までの距離を測定する。塗布前の時点で塗布ロール１０１ａに形成されている糊の膜の膜厚が塗布ロール１０１ａの軸方向において均一になっているため、非転写領域Ａａ内で行われるセンサ１３１ａによる距離測定は、塗布前の時点で塗布ロール１０１ａに形成されている糊の膜の表面までの距離測定とみなすことができる。
【００４２】
１３１ｂ、１３２ｂも、センサ１３１ａ、１３２ａと同様に、塗布ロール１０１ｂの外周面までの距離を測定する。塗布前の時点で塗布ロール１０１ｂに形成されている糊の膜の膜厚が塗布ロール１０１ｂの軸方向において均一になっているため、非転写領域Ａｂ内で行われるセンサ１３１ｂによる距離測定は、塗布前の時点で塗布ロール１０１ｂに形成されている糊の膜の表面までの距離測定とみなすことができる。
【００４３】
本実施形態においては、センサ１３１ａ（１３１ｂ）から塗布ロール１０１ａ（１０１ｂ）までの距離と、センサ１３２ａ（１３２ｂ）から塗布ロール１０１ａ（１０１ｂ）までの距離が等しいため、センサ１３１ａ、１３１ｂによる距離測定値と、センサ１３２ａ、１３２ｂによる距離測定値との差は、塗布前の時点で塗布ロール１０１ａ、１０１ｂに形成された糊の膜と、塗布後に塗布ロール１０１ａ、１０１ｂに残留した糊の膜との膜厚差となる。
【００４４】
なお、センサ１３１ａ（１３１ｂ）から塗布ロール１０１ａ（１０１ｂ）までの距離と、センサ１３２ａ（１３２ｂ）から塗布ロール１０１ａ（１０１ｂ）までの距離が異なる場合でも、距離の差を考慮した計算をすることで膜厚差を算出することができる。例えば、センサ１３１ａ（１３１ｂ）から塗布ロール１０１ａ（１０１ｂ）までの距離が、センサ１３２ａ（１３２ｂ）から塗布ロール１０１ａ（１０１ｂ）までの距離よりも差分ｇだけ短い場合、センサ１３１ａ（１３１ｂ）による距離測定値に差分ｇを加算した上でセンサ１３２ａ（１３２ｂ）による距離測定値との差をとることで、膜厚差を算出することができる。距離の差分ｇは、予め制御部等に記憶させておいても良いし、塗布開始前に校正工程を設けて測定しても良い。
【００４５】
塗布ロール１０１ａ（１０１ｂ）の外周面（ゴムの表面）に、複数の螺旋状の溝ｔが等間隔で形成されている。図７に、塗布ロール１０１ａ（１０１ｂ）の外周面付近を拡大した拡大断面図を示す。塗布ロール１０１ａ（１０１ｂ）の外周面に形成される糊の膜にも、溝ｔに沿って凹みが生じる。そのため、センサ１３１ａ（１３１ｂ）及びセンサ１３２ａ（１３２ｂ）の一方が溝ｔの部分について測定しているときに、他方が溝ｔでない部分について測定すると、一方のセンサの測定結果のみが溝ｔに起因する膜の凹みよる距離の変化の影響を受けるため、非転写領域Ａａ（Ａａ）と転写領域Ｂａ（Ｂｂ）との膜厚差を算出する際に溝ｔによる距離の変化の分だけ誤差が生じてしまう。従って、図７に示すように、センサ１３１ａ（１３１ｂ）及びセンサ１３２ａ（１３２ｂ）は、一方が溝ｔの位置に対向しているときに他方も溝ｔの位置に対向するよう、塗布ロール１０１ａ（１０１ｂ）の軸方向におけるセンサ１３１ａ（１３１ｂ）とセンサ１３２ａ（１３２ｂ）との配置間隔を溝ｔの間隔の整数倍に合わせる必要がある。
【００４６】
また、各センサの測定スポットが、溝ｔが形成されている部分と溝ｔが形成されていない部分とに常にまたがってしまうと、溝ｔの部分までの距離なのか、溝ｔでない部分までの距離なのかが明確でない距離測定結果しか得られなくなってしまう。従って、どの部分までの距離なのかが明らか距離測定結果が得られるよう、測定スポット径が溝ｔの凹部や凸部の幅に対して十分小さいセンサを選定するのが好ましい。
【００４７】
なお、溝ｔは螺旋状に形成されているため、図７の断面（センサ１３１ａ（１３１ｂ）とセンサ１３２ａ（１３２ｂ）の光線が通る平面）上の溝ｔの位置は、塗布ロール１０１ａ（１０１ｂ）の回転と共に塗布ロール１０１ａ（１０１ｂ）の軸方向に移動する。ただし、図７に示す断面上の溝ｔは、間隔を維持したまま、塗布ロール１０１ａ（１０１ｂ）の軸方向に移動する。従って、センサ１３１ａ（１３１ｂ）による測定とセンサ１３２ａ（１３２ｂ）による測定を同期して行えば、センサ１３１ａ（１３１ｂ）及びセンサ１３２ａ（１３２ｂ）の一方による測定が溝ｔの位置で行われる場合は他方による測定も溝ｔの位置で行われ、一方による測定が溝ｔでない位置で行われる場合は他方による測定も溝ｔでない位置で行われる。その結果、溝ｔに起因する膜の凹みに影響されることなく、非転写領域Ａａ（Ａｂ）と転写領域Ｂａ（Ｂｂ）との間の膜厚差を正確に算出することが可能になる。
【００４８】
上述したように、単板Ｐへの糊の塗布量は、塗布前の時点で塗布ロール１０１ａ、１０１ｂに形成された糊の膜と、塗布後に塗布ロール１０１ａ、１０１ｂに残留した糊によって形成された糊の膜との膜厚差から求めることができる。つまり、センサ１３１ａ、１３１ｂによる測定値と、センサ１３２ａ、１３２ｂによる測定値との差から、塗布量を求めることができる。
【００４９】
センサ１３１ａ（１３１ｂ）による測定値をｄ１、センサ１３２ａによる測定値をｄ２、糊の密度をρ、補正係数をαとすると、単板Ｐの上面（下面）への糊の単位面積当たりの塗布量の計算値Ｍｃは、次式（１）で求めることができる。
（式１）
Ｍｃ＝（ｄ２−ｄ１）×ρ×α
【００５０】
なお、本実施形態では、塗布量の目標値Ｍｔが単板Ｐの表面の単位面積当たりに付着する糊の質量として設定されているが、例えば塗布量の目標値Ｍｔが単板Ｐ一枚当たりに塗布される糊の質量として設定されている場合は、単板Ｐ一枚の塗布に対して一回のみ測定を行い、その結果に基づいて塗布量の計算値Ｍｃを求め、計算値Ｍｃに単板Ｐの面積を掛ければ良い。
【００５１】
補正係数αは、糊の密度ρに影響を与える温度、塗布ロール１０１ａ、１０１ｂの回転速度、単板Ｐの搬送速度といった塗布条件に応じて設定される。
【００５２】
なお、センサ１３１ａ、１３１ｂによる距離測定と、センサ１３２ａ、１３２ｂによる距離測定は、主に以下の二つの理由により、同期して行うことが好ましい。
【００５３】
第一の理由として、塗布ロール１０１ａ、１０１ｂの動作中の振動（塗布ロール１０１ａ、１０１ｂの軸に直交する方向の変位）は避けられないため、各センサから塗布ロール１０１ａ、１０１ｂの外周面（糊の膜の表面）までの距離が振動状態によって変化し、測定のタイミングの違いにより異なる測定値が出てしまうことがある。塗布装置１においては、センサ１３１ａ、１３１ｂとセンサ１３２ａ、１３２ｂは、塗布ロール１０１ａ、１０１ｂの回転方向においては同じ位置に配置されているため、このような振動による各センサの測定誤差は、センサ１３１ａ、１３１ｂによる測定と、センサ１３２ａ、１３２ｂによる測定を、同じ振動状態において、すなわち同期して行うことで打ち消すことができる。具体的には、あるタイミングにおける塗布ロール１０１ａ、１０１ｂの軸に直交する方向かつ各センサとの距離方向の変位がｅの場合、センサ１３１ａ、１３１ｂによる測定値にも、センサ１３２ａ、１３２ｂによる測定値にも測定誤差ｅが含まれることになる。計算値Ｍｃを求める際には、センサ１３１ａ、１３１ｂによる測定値とセンサ１３２ａ、１３２ｂによる測定値の差をとるため、両測定値に含まれる誤差ｅは打ち消され、求められる計算値Ｍｃには影響しないことになる。
【００５４】
第二の理由として、塗布ロール１０１ａ、１０１ｂに形成される糊の膜の回転方向における膜厚が必ずしも一定ではないという問題がある。塗布ロール１０１ａ、１０１ｂに形成される糊の膜の回転方向における膜厚が一定でない場合、センサ１３１ａ、１３１ｂによる距離測定と、センサ１３２ａ、１３２ｂによる距離測定を異なるタイミングで行う、すなわち回転方向において異なる位置における距離を測定すると、塗布ロール１０１ａ、１０１ｂに形成される糊の膜の回転方向における膜厚が一定でない場合、比較対象として不適切な測定値となる。
【００５５】
次に、塗布装置１の制御方法について説明する。制御部１４は、図５に示すように、ロールユニット１０、糊供給ユニット１１、搬送ユニット１２、センサユニット１３及び警報出力部１５に接続されている。制御部１４は、糊供給ユニット１１の糊循環ポンプ１１１を駆動させて糊を塗布ロール１０１ａとドクターロール１０２ａとの間に供給し、ロールユニット１０の駆動部１０５を駆動させて塗布ロール１０１ａ、１０１ｂ及びドクターロール１０２ａ、１０２ｂを回転させ、単板搬送ユニット１２を駆動させて塗布ロール１０１ａと塗布ロール１０１ｂとの間に単板Ｐを通過させる。また、制御部１４は、上記のように各ユニットを制御して単板Ｐへの糊の塗布を行っている間、センサユニット１３から距離の測定値を取得して塗布量を計算する。
【００５６】
図８は、塗布装置１の制御のフローチャートである。図８に示すように、制御部１４は、塗布装置１の各ユニットを始動して運転を開始させる（Ｓ１０１）。次に、センサユニット１３を制御して各センサから距離の測定値を取得し（Ｓ１０２）、取得した測定値から上記（式１）を用いて塗布量の計算値Ｍｃを求める（Ｓ１０３）。すなわち、制御部１４は、計算手段の役割を果たす。制御部１４によって求められる計算値Ｍｃは、制御部１４による塗布装置１の様々な制御に用いることができる。図８は、計算値Ｍｃを利用した塗布装置１の制御の一例を示している。
【００５７】
図８に示す例では、予め塗布量の目標値Ｍｔが設定してあり、制御部１４は、計算値Ｍｃと目標値Ｍｔとの差分Ｍｄ（絶対値）が、塗布量の誤差として許容できる許容誤差ｍより大きいか否かを確認する（Ｓ１０４）。許容誤差ｍは、要求される塗布量の精度に基づいて決定される。
【００５８】
差分Ｍｄが許容誤差ｍ以下である場合（Ｓ１０４：ＮＯ）、制御部１４は、運転終了指示の有無（運転停止操作が行われたか否か）を確認する（Ｓ１０６）。運転終了指示が出されていれば（Ｓ１０６：ＹＥＳ）、各ユニットを停止させて運転を停止し（Ｓ１０７）、塗布装置１の制御を終了する。運転終了指示が出されていなければ（Ｓ１０６：ＮＯ）、Ｓ１０１からＳ１０５までの処理を繰り返す。
【００５９】
差分Ｍｄが許容誤差ｍより大きい場合（Ｓ１０４：ＹＥＳ）、制御部１４は、警報出力部１０５を制御して警報を出力し（Ｓ１０５）、処理をＳ１０６へ進める。なお、警報の出力と併せて、計算値Ｍｃが目標値Ｍｔに対して大きいか小さいかを表示するようにしても良い。
【００６０】
警報を出力し、計算値Ｍｃが目標値Ｍｔに対して大きいか小さいかを表示することにより、作業者は、警報によって膜厚が許容範囲を外れたことを認知し、表示を参照してロール距離調整ユニット１０４を手動で操作する等して塗布量を調整することができる。また、作業者は、必要に応じて塗布装置１の運転を停止させることができる。
【００６１】
糊は一般的に経時変化によって粘度が上昇するため、塗布を続けている間に糊の粘度が上昇し、図６に示すように塗布量が増加する。しかし、図８に示した例のように塗布量の増加幅又は減少幅が許容誤差ｍ以上となった場合に警報を出力させて作業者に塗布量の調整を促すことで、塗布量が増加した場合に糊が無駄に消費され続けることが防止でき、コスト削減につながる。なお、Ｓ１０５において、警報出力と併せて、若しくは警報出力に代えて、塗布装置１の運転を停止させるよう構成しても良い。運転を停止させることで、塗布不良品の発生を確実に防止することができる。
【００６２】
塗布量と、塗布ロール１０１ａ（１０１ｂ）とドクターロール１０２ａ（１０２ｂ）との距離との間には、一定の相関関係がある。具体的には、塗布ロール１０１ａ（１０１ｂ）とドクターロール１０２ａ（１０２ｂ）との軸間距離が増加すると、塗布量が増加する。従って、塗布量を増やす場合には、塗布ロール１０１ａ（１０１ｂ）とドクターロール１０２ａ（１０２ｂ）との軸間距離を広げるようにロール距離調整ユニット１０４を制御する。また、塗布量を減らす場合には、塗布ロール１０１ａ（１０１ｂ）とドクターロール１０２ａ（１０２ｂ）との軸間距離を狭めるようにロール距離調整ユニット１０４を制御すれば良い。
【００６３】
なお、本願発明の塗布装置１は、ドクターロール１０２ａ（１０２ｂ）が塗布ロール１０１ａ（１０１ｂ）に押圧された状態で塗布が行われる。従って、塗布ロール１０１ａ（１０１ｂ）とドクターロール１０２ａ（１０２ｂ）との軸間距離と、塗布ロール１０１ａ（１０１ｂ）とドクターロール１０２ａ（１０２ｂ）との間に作用する力、すなわちロール距離調整機構１０４Ｌａ、１０４Ｒａ（１０４Ｌｂ、１０４Ｒｂ）のそれぞれに加わる荷重との間には、一定の相関関係がある。具体的には、塗布ロール１０１ａ（１０１ｂ）とドクターロール１０２ａ（１０２ｂ）との軸間距離が狭くなるほど、ロール距離調整機構１０４Ｌａ、１０４Ｒａ（１０４Ｌｂ、１０４Ｒｂ）のそれぞれに加わる荷重が大きくなる。
【００６４】
従って、例えば、図９に示すように、ロール距離調整機構１０４Ｌａ、１０４Ｒａ、１０４Ｌｂ、１０４Ｒｂのそれぞれに塗布ロール１０１ａ（１０１ｂ）とドクターロール１０２ａ（１０２ｂ）との間に作用する力を検出するひずみゲージ等の荷重検知手段１０６Ｌａ、１０６Ｒａ、１０６Ｌｂ、１０６Ｒｂを設け、塗布量を増やす場合は荷重検知手段１０６Ｌａ、１０６Ｒａ、１０６Ｌｂ、１０６Ｒｂにより検出される荷重が小さくなるように（すなわち、軸間距離を広げるように）ロール距離調整ユニット１０４を制御し、塗布量を減らす場合は荷重検知手段１０６Ｌａ、１０６Ｒａ、１０６Ｌｂ、１０６Ｒｂにより検出される荷重が大きくなるように（すなわち、軸間距離を狭めるように）ロール距離調整ユニット１０４を制御すれば良い。
【００６５】
［第２実施形態］
次に、本願発明の第２実施形態について説明する。第２実施形態は、塗布装置１の制御フローのみが第１実施形態と異なる。図１０に、第２実施形態における塗布装置の制御のフローチャートを示す。第２実施形態においては、Ｓ２０４−Ｓ２０７の処理が第１実施形態と異なるため、Ｓ２０４以降の処理について説明する。Ｓ２０３で塗布量を計算後、制御部１４は、計算値Ｍｃが目標値Ｍｔと等しいか否かを確認する（Ｓ２０４）。計算値Ｍｃが目標値Ｍｔと等しい場合（Ｓ２０４：ＹＥＳ）、制御部１４は、運転終了指示の有無を確認する（Ｓ２０８）。制御部１４は、運転終了指示が出されていれば（Ｓ２０８：ＹＥＳ）、各ユニットを停止させて運転を停止し（Ｓ２０９）、運転終了指示が出されていなければ（Ｓ２０８：ＮＯ）、Ｓ２０２からＳ２０７までの処理を繰り返す。
【００６６】
計算値Ｍｃが目標値Ｍｔと異なる場合（Ｓ２０４：ＮＯ）、制御部１４は、計算値Ｍｃが目標値Ｍｔより大きいか否かを確認する（Ｓ２０５）。計算値Ｍｃが目標値Ｍｔより大きい場合（Ｓ２０４：ＹＥＳ）、制御部１４は、ロール距離調整ユニット１０４を制御して塗布ロール１０１ａ（１０１ｂ）とドクターロール１０２ａ（１０２ｂ）との軸間距離を狭め、塗布ロール１０１ａ（１０１ｂ）上に形成される糊の膜厚を薄くすることで塗布量を減らす（Ｓ２０６）。計算値Ｍｃが目標値Ｍｔ未満の場合（Ｓ２０５：ＮＯ）、制御部１４は、ロール距離調整ユニット１０４を制御して塗布ロール１０１ａ（１０１ｂ）とドクターロール１０２ａ（１０２ｂ）との軸間距離を広げ、塗布ロール１０１ａ（１０１ｂ）上に形成される糊の膜厚を厚くすることで塗布量を増やして（Ｓ２０７）、処理をＳ２０８に進める。
【００６７】
塗布量の計算値Ｍｃが変化した場合に自動で塗布量を目標値Ｍｔに近づけるよう塗布装置１を制御することで、作業者が介在することなく、目標値Ｍｔに近い塗布量を維持したまま塗布装置１に運転を継続させることができる。なお、第２実施形態においても、第１実施形態と同様に許容誤差ｍを設定し、計算値Ｍｃと目標値Ｍｔとの差分Ｍｄ（絶対値）が許容誤差ｍを超えた場合に警報を出力する及び／又は塗布装置１の運転を停止するように構成しても良い。このように構成することで、例えば自動制御では塗布量が制御しきれない何らかの異常が発生した場合に、塗布装置１の異常を確認したり、塗布不良品の発生を防止したりすることができる。
【００６８】
以上が本発明の実施形態の一例の説明である。本発明の実施形態は、上記に説明したものに限定されず、特許請求の範囲の記載により表現された技術的思想の範囲内において様々な変形が可能である。例えば明細書中に例示的に明示された実施形態等又は自明な実施形態等を適宜組み合わせた内容も本願の実施形態に含まれる。
【００６９】
［変形例］
上記の実施形態では、図４における非転写領域Ａａ、Ａｂ内にセンサ１３２ａ、１３２ｂをそれぞれ一つずつ備えているが、図４における非転写領域Ａ’ａ、 Ａ’ｂ内にもセンサ１３２ａ、１３２ｂを設けた構成としても良い。非転写領域Ａａ、Ａｂと非転写領域Ａ’ ａ、 Ａ’ｂのそれぞれに設けたセンサ１３２ａ、１３２ｂによる測定値から求めた計算値Ｍｃが異なる値を示した場合、塗布ロール１０１ａ、１０１ｂの軸方向において塗布ロール１０１ａ、１０１ｂ上の糊の膜厚が均一でないと考えられる。塗布ロール１０１ａ、１０１ｂとドクターロール１０２ａ、１０２ｂとの軸間距離は、ロール距離調整機構１０４Ｌａ、１０４Ｌｂとロール距離調整機構１０４Ｒａ、１０４Ｒｂにより、左右独立して調整することができるため、非転写領域Ａａ、Ａｂと非転写領域Ａａ、 Ａ’ｂ’のそれぞれに設けたセンサ１３２ａ、１３２ｂによる測定値から求めた計算値Ｍｃに応じて、塗布ロール１０１ａ、１０１ｂ上の糊の膜厚が均一になるようロール距離調整機構１０４Ｌａ、１０４Ｌｂとロール距離調整機構１０４Ｒａ、１０４Ｒｂを独立して制御することができる。
【００７０】
上記の実施形態では、図４における転写領域Ｂａ、Ｂｂ内にセンサ１３１ａ、１３１ｂをそれぞれ一つずつ備えているが、センサ１３１ａ、１３１ｂを図４における転写領域Ｂａ、Ｂｂ内に複数設けた構成としても良い。センサ１３１ａ、１３１ｂを複数設けた場合、Ｙ軸方向における複数のポイントにおける塗布量を求めることができるため、Ｙ軸方向における塗布量にばらつきも検出することができる。従って、例えばＹ軸方向において部分的に塗布不良が生じた場合でも塗布不良を検出することが可能になる。
【００７１】
上記の実施形態における塗布装置１は、単板Ｐの両面に糊を塗布する装置であるが、塗布装置の構成、塗布対象、塗料等は上記に説明したものに限定されない。塗布装置は、塗布ロールに付着させた塗料等を塗布対象に転写する形で塗布する装置であり、塗布ロールの長手方向において、塗布に利用しない領域が存在する、もしくは塗布に利用しない領域を設けることができるものであれば、センサを適切な位置に設けることによって計算値Ｍｃを求めることができる。従って、ドクターロール１０２の代わりにドクターブレードを用いて塗布ロールに形成される塗料等の膜厚を調整しても良い。また、塗布対象は、単板以外にも、様々な材質の板、帯、シートが考えられる。また、塗布対象の片面のみに塗布する装置であっても良い。更に、塗料等は、糊以外にも、塗料やコーティング剤といった様々な流動性材料が考えられる。
【００７２】
上記の実施形態における塗布装置１は、センサ１３１ａ、１３１ｂ、１３２ａ、１３２ｂに距離センサを採用しているが、非転写領域Ａａ、Ａｂと転写領域Ｂａ、Ｂｂとの間での糊の膜厚差が算出できるものであれば、距離センサでなくても良い。距離センサに代わるセンサとしては、例えば膜厚センサが考えられる。膜厚センサを採用する場合、距離センサを使用する場合と異なり、非転写領域Ａａ、Ａｂ内に配置されたセンサと転写領域Ｂａ、Ｂｂ内に配置されたセンサとで塗布ロールまでの距離が異なっていても、単純にそれぞれの測定値の差から計算値Ｍｃを求めることができる。なお、距離センサは、膜厚センサと比較して安価であるだけでなく、測定に塗料等の物性を必要としないといった利点がある。従って、物性が異なる様々な塗料等に対して設定を変更することなく塗布量の測定値を求めることが可能である。
【符号の説明】
【００７３】
１        …  塗布装置
１０      …  ロールユニット
１０１ａ、１０１ｂ  …  塗布ロール
１０２ａ、１０２ｂ  …  ドクターロール
１０３    …  ロール支持部
１０４    …  ロール距離調整ユニット
１０４Ｌａ、１０４Ｒａ、１０４Ｌｂ、１０４Ｒｂ  …  ロール距離調整機構
１０５    …  駆動部
１０６Ｌａ、１０６Ｒａ、１０６Ｌｂ、１０６Ｒｂ  …  荷重検知手段
１１      …  糊供給ユニット
１１０    …  サービスタンク
１１１    …  糊循環ポンプ
１１２    …  供給路
１１３    …  糊受け
１２      …  単板搬送ユニット
１３      …  センサユニット
１３１ａ、１３１ｂ、１３２ａ、１３２ｂ  …  センサ
１４      …  制御部
１５      …  警報出力部
【図１】
2019000773.tif 000003
【図２】
2019000773.tif 000004
【図３】
2019000773.tif 000005
【図４】
2019000773.tif 000006
【図５】
2019000773.tif 000007
【図６】
2019000773.tif 000008
【図７】
2019000773.tif 000009
【図８】
2019000773.tif 000010
【図９】
2019000773.tif 000011
【図１０】
2019000773.tif 000012